(57)【要約】      （修正有）【課題】吸盤を備えたガラス引き戸用ロックを提供する。【解決手段】ガラス引き戸用ロックＬは、裏面に吸盤１１を有した本体１と、この本体１の端部に設けられたストッパー２とを備えたガラス引き戸用ロックＬであって、吸盤１１には、本体１の貫通口を介して取り付けられた軸１３と、軸１３に回動自在に取り付けられると共に、本体１を押圧して軸１３を引き上げ、吸盤１１を吸着面に押し付けるレバー１４とを備え、レバー１４の押圧状態は、レバー１４の持ち手１４Ａに遠い側の端部が貫通口の縁部に係止して保持されるものである。【選択図】図６
0003207263.tif 000002
【実用新案登録請求の範囲】
【請求項１】
裏面に吸盤を有した本体と、
この本体の端部に設けられたストッパーとを備えたガラス引き戸用ロックであって、
前記吸盤には、前記本体の貫通口を介して取り付けられた軸と、
前記軸に回動自在に取り付けられると共に、前記本体を押圧して前記軸を引き上げ、前記吸盤を吸着面に押し付けるレバーとを備え、
前記レバーの押圧状態は、前記レバーの持ち手に遠い側の端部が前記貫通口の縁部に係止して保持されることを特徴とするガラス引き戸用ロック。
【請求項２】
本体の裏面に吸盤の外周円より小さい円形状のリブが設けられ、レバーの押圧状態の際、前記円形状のリブが前記吸盤に当接する
ことを特徴とする請求項１記載のガラス引き戸用ロック。
【請求項３】
レバーの押圧状態のレバーの持ち手の位置を軸の回りの位置に自由に選択できる
ことを特徴とする請求項１又は請求項２記載のガラス引き戸用ロック。
【考案の詳細な説明】
【技術分野】
【０００１】
本考案は、ガラス引き戸用ロックに係り、特に、吸盤を備えたガラス引き戸用ロックに関する。
【背景技術】
【０００２】
従来、図１３及び図１４に示すように、ガラス引き戸４１を開状態で使用するために、ガラス引き戸４１より内側に位置するガラス引き戸４２の移動を阻止するものとして、ガラス引き戸用ロック４３が使用されている。図１３はガラス引き戸用ロック４３による施錠状態、図１４はガラス引き戸用ロック４３の解錠状態をそれぞれ示している。
【考案の概要】
【考案が解決しようとする課題】
【０００３】
ところが、上記ガラス引き戸用ロック４３にあっては、粘着部を介して取り付け、固定化されるため、ガラス引き戸が複数あれば、複数個用意しなければならず、しかも、取付場所も、ガラス引き戸４１の上枠になり、背の低いものに取っては、操作性も良好でないという問題点があった。
【０００４】
本考案は、上記の点を考慮してなされたもので、吸盤を備えたガラス引き戸用ロックを提供することを目的とする。
【課題を解決するための手段】
【０００５】
請求項１記載のガラス引き戸用ロックは、裏面に吸盤を有した本体と、この本体の端部に設けられたストッパーとを備えたガラス引き戸用ロックであって、前記吸盤には、前記本体の貫通口を介して取り付けられた軸と、前記軸に回動自在に取り付けられると共に、前記本体を押圧して前記軸を引き上げ、前記吸盤を吸着面に押し付けるレバーとを備え、前記レバーの押圧状態は、前記レバーの持ち手に遠い側の端部が前記貫通口の縁部に係止して保持されるものである。
【０００６】
また、請求項２記載のガラス引き戸用ロックは、請求項１記載のガラス引き戸用ロックにおいて、本体の裏面に吸盤の外周円より小さい円形状のリブが設けられ、レバーの押圧状態の際、前記円形状のリブが前記吸盤に当接する
ものである。
【０００７】
また、請求項３記載のガラス引き戸用ロックは、請求項１又は請求項２記載のガラス引き戸用ロックにおいて、レバーの押圧状態のレバーの持ち手の位置を軸の回りの位置に自由に選択できる。
【考案の効果】
【０００８】
請求項１記載のガラス引き戸用ロックによれば、ガラス引き戸用ロックをガラス面であれば、自由に取り付けることができ、例えば、子供の手の届かない高いガラス面の位置に取り付け、子供が勝手にガラス引き戸用ロックを操作されないようにして、外に出られないようにすることができる。
【０００９】
また、請求項２記載のガラス引き戸用ロックによれば、請求項１記載の考案の効果に加え、本体の裏面に吸盤の外周円より小さい円形状のリブが設けられ、レバーの押圧状態の際、前記円形状のリブが前記吸盤に当接するため、吸盤の吸着力を保持すると共に、本体の強度をも向上させることができる。
【００１０】
また、請求項３記載のガラス引き戸用ロックによれば、請求項１又は請求項２記載の考案の効果に加え、レバーの押圧状態のレバーの持ち手の位置を軸の回りの位置に自由に選択でき、例えば、ガラス引き戸用ロックを高いガラス面の位置に取り付けた際は、レバーを下向きに使用し、操作性を良くして、レバーの押圧状態を簡易且つ迅速に行うことができる。
【図面の簡単な説明】
【００１１】
【図１】図１は、本考案の一実施例のガラス引き戸用ロックの概略的正面図である。
【図２】図２は、図１の概略的平面図である。
【図３】図３は、図１の概略的底面図である。
【図４】図４は、図１のＡ−Ａ線による概略的断面図である。
【図５】図５は、図１のＢ−Ｂ線による概略的断面図である。
【図６】図６は、図１のガラス引き戸用ロックの使用状態の概略的斜視図である。
【図７】図７は、図１の概略的背面図である。
【図８】図８は、図１の概略的右側面図である。
【図９】図９は、図１の概略的左側面図である。
【図１０】図１０は、図１の概略的斜視図である。
【図１１】図１１は、図１０の持ち手を起立させた状態の概略的斜視図である。
【図１２】図１２は、図１の使用状態を示す写真である。
【図１３】図１３は、従来のガラス引き戸用ロックの施錠時を説明するための概略的説明図である。
【図１４】図１４は、図１３のガラス引き戸用ロックを解錠した状態を説明するための概略的説明図である。
【考案を実施するための形態】
【００１２】
本考案の一実施例のガラス引き戸用ロックを図面（図１乃至図７）を参照して説明する。
図１に示すＬはガラス引き戸用ロックで、ガラス引き戸用ロックＬは、例えば、図１２に示すように、外側に位置するガラス引き戸１’に取り付けられ、ガラス引き戸１’より内側に位置するガラス引き戸２’の移動を阻止するものである。
【００１３】
ガラス引き戸用ロックＬは、裏面に吸盤１１を有した本体１と、この本体１の端部に設けられたストッパー２とを備えている。
吸盤１１には、本体１の貫通口１２（図５参照）を介して取り付けられた軸１３と、軸１３に回動自在に取り付けられると共に、本体１を押圧して軸１３を引き上げ、吸盤１１を吸着面（本実施例では、吸着面は、ガラス引き戸１’のガラス面である。）に押し付けるレバー１４とを備えている。
【００１４】
また、本体１の裏面に吸盤１１の外周円より小さい円形状のリブ１５が設けられ、レバー１４の押圧状態の際、円形状のリブ１５が吸盤１１に当接するようになっている（図５参照）。
これは、円形状のリブ１５が吸盤１１に当接することにより、吸盤１１の吸着力を保持し、円形状のリブ１５が本体１に一体化することにより、本体１の強度をも向上させるためである。
そして、レバー１４の押圧状態は、レバー１４の持ち手１４Ａに遠い側の端部１４Ｂが貫通口１２の縁部に係止して保持されるようになっている。
【００１５】
従って、上述したガラス引き戸用ロックＬによれば、ガラス引き戸用ロックＬをガラス面であれば、自由に取り付けることができ、例えば、子供の手の届かない高いガラス面の位置に取り付け、子供が勝手にガラス引き戸用ロックＬを操作されないようにして、外に出られないようにすることができる。
また、軸１３は、本体１の貫通口１２を介して取り付けられ、軸１３回りに回動自在であり、軸１３に接続されたレバー１４も軸１３回りに回動でき、つまり、レバー１４の押圧状態のレバー１４の持ち手１４Ａの位置を軸１３の回りの位置に自由に選択でき、例えば、ガラス引き戸用ロックＬをガラス引き戸１’の図１２より高いガラス面の位置に取り付けた際は、レバー１４を下向きに使用し、操作性を良くして、レバー１４の押圧状態を簡易且つ迅速に行うことができる。
【符号の説明】
【００１６】
Ｌ      ガラス引き戸用ロック
１      本体
１１    吸盤
１２    貫通口
１３    軸
１４    レバー
１４Ａ  持ち手
１４Ｂ  端部
２      ストッパー 
【図１】
0003207263.tif 000003
【図２】
0003207263.tif 000004
【図３】
0003207263.tif 000005
【図４】
0003207263.tif 000006
【図５】
0003207263.tif 000007
【図６】
0003207263.tif 000008
【図７】
0003207263.tif 000009
【図８】
0003207263.tif 000010
【図９】
0003207263.tif 000011
【図１０】
0003207263.tif 000012
【図１１】
0003207263.tif 000013
【図１２】
0003207263.tif 000014
【図１３】
0003207263.tif 000015
【図１４】
0003207263.tif 000016